(57)【特許請求の範囲】
【請求項１】
情報を印字して印字媒体を発行する印字装置と、
一取引毎の商品合計金額を算出する算出手段と、
外部の充電装置から充電対象物への充電中を示す充電情報および前記充電対象物への充電終了を示す充電料金の情報を入力する入力手段と、
前記入力手段から前記充電料金の情報が入力されている場合、前記算出手段で算出された前記商品合計金額に対して、前記入力手段で入力した充電料金を加算し、前記商品合計金額に応じて前記充電対象物の充電料金の値引き金額値の情報を算出して減算し、前記入力手段から前記充電料金の情報が入力されておらずかつ前記充電情報が入力されている場合、前記印字装置を用いて前記値引き金額値の情報を印字した印字媒体の発行を行う値引き処理手段と、
を有する情報処理装置。
【請求項２】
前記値引き処理手段は、前記商品合計金額および前記充電装置の利用状況を示す情報に従って前記値引き金額値の情報を算出する、請求項１に記載の情報処理装置。
【請求項３】
前記値引き処理手段は、前記商品合計金額に応じて、前記充電対象物の充電料金の決済用のポイント値を算出し、該算出したポイント値を出力する、請求項１に記載の情報処理装置。
【請求項４】
前記値引き処理手段は、前記入力手段で入力した充電料金に応じて、前記充電対象物の充電料金の決済用のポイント値を算出し、該算出したポイント値を出力する、請求項１または２に記載の情報処理装置。
【請求項５】
前記値引き処理手段は、前記商品合計金額に所定率を乗算して前記充電料金の値引き金額値の情報を算出する、請求項１に記載の情報処理装置。
【請求項６】
前記入力手段は、前記外部の充電装置が会員であることを示す会員情報を読み取った場合に前記充電情報および前記充電料金の情報を入力する、請求項１ないし５のいずれか一に記載の情報処理装置。
【発明の詳細な説明】
【技術分野】
【０００１】
本発明の実施形態は、情報処理装置に関する。
【背景技術】
【０００２】
従来、店舗に設置される情報処理装置として、商品販売データを処理するＰＯＳ（Ｐｏｉｎｔ  Ｏｆ  Ｓａｌｅｓ  Ｓｙｓｔｅｍ）端末や、各種情報サービスを提供する情報発信端末などが提供されている。
【０００３】
また、近年では、店舗に設置され、電気自動車（ＥＶ（Ｅｌｅｃｔｒｉｃ  Ｖｅｈｉｃｌｅ））やＨＶ（Ｈｙｂｒｉｄ  Ｖｅｈｉｃｌｅ）などの客の所有する充電対象物に実装された動力源としての蓄電池を、有料で充電する充電サービスを提供する充電スタンドなどの充電装置が提供されている。
【発明の概要】
【発明が解決しようとする課題】
【０００４】
しかしながら、従来の情報処理装置にあっては、充電装置を店舗の販売促進に十分に役立てることができていないなどの課題がある。
【課題を解決するための手段】
【０００５】
実施の形態の情報処理装置は、情報を印字して印字媒体を発行する印字装置と、一取引毎の商品合計金額を算出する算出手段と、外部の充電装置から充電対象物への充電中を示す充電情報および前記充電対象物への充電終了を示す充電料金の情報を入力する入力手段と、前記入力手段から前記充電料金の情報が入力されている場合、前記算出手段で算出された前記商品合計金額に対して、前記入力手段で入力した充電料金を加算し、前記商品合計金額に応じて前記充電対象物の充電料金の値引き金額値の情報を算出して減算し、前記入力手段から前記充電料金の情報が入力されておらずかつ前記充電情報が入力されている場合、前記印字装置を用いて前記値引き金額値の情報を印字した印字媒体の発行を行う値引き処理手段と、を有する。
【図面の簡単な説明】
【０００６】
【図１】図１は、充電料金値引きシステムの概略構成を示す概要図である。
【図２】図２は、ストアサーバのハードウェア構成を示すブロック図である。
【図３】図３は、ＰＯＳ端末のハードウェア構成を示すブロック図である。
【図４】図４は、充電装置のハードウェア構成を示すブロック図である。
【図５】図５は、ストアサーバにおける機能的構成を示すブロック図である。
【図６】図６は、充電情報記憶テーブルの一構成例を示す図である。
【図７】図７は、ＰＯＳ端末における機能的構成を示すブロック図である。
【図８】図８は、値引き金額テーブルの一構成例を示す図である。
【図９】図９は、ＰＯＳ端末で発行される値引き券やレシートの一構成例を示す図である。
【図１０】図１０は、充電装置における機能的構成を示すブロック図である。
【図１１】図１１は、充電装置で発行されるレシートの一構成例を示す図である。
【図１２】図１２は、充電装置で実行される処理の流れを示すフローチャートである。
【図１３】図１３は、ストアサーバで実行される処理の流れを示すフローチャートである。
【図１４】図１４は、ＰＯＳ端末で実行される処理の流れを示すフローチャートである。
【図１５】図１５は、ストアサーバで実行される処理の流れを示すフローチャートである。
【図１６】図１６は、充電装置で実行される処理の流れを示すフローチャートである。
【図１７】図１７は、第２の実施形態の充電装置で実行される処理の流れを示すフローチャートである。
【図１８】図１８は、第２の実施形態のＰＯＳ端末で実行される処理の流れを示すフローチャートである。
【図１９】図１９は、他の充電料金値引きシステムの概略構成を示す概要図である。
【発明を実施するための形態】
【０００７】
以下、実施形態について添付図面を参照して説明する。
【０００８】
（第１の実施形態）
なお、以下では、本実施形態の情報処理装置として、店舗に設置され、商品販売データを処理するＰＯＳ端末の場合について説明する。
【０００９】
図１は、本実施形態に係るＰＯＳ端末を含む充電料金値引きシステム１の概略構成を説明するための概要図である。
【００１０】
図１に示すように、この充電料金値引きシステム１は、ストアサーバ２と、ＰＯＳ端末３と、充電装置４とを備えており、それらがＬＡＮ（Ｌｏｃａｌ  Ａｒｅａ  Ｎｅｔｗｏｒｋ）などの内部ネットワーク５を介して相互に通信可能に接続されている。また、ＰＯＳ端末３には、スキャナ装置６が接続されている。
【００１１】
ストアサーバ２は、店舗のバックヤードなどに設置され、ＰＯＳ端末３および充電装置４の上位装置として機能するサーバ装置である。
【００１２】
ＰＯＳ端末３は、店舗の決済場所などに設置され、客が購入を希望する商品（以下、単に「購入商品」という場合がある。）の登録および決済処理を実行する端末である。
【００１３】
充電装置４は、駐車場などに設置され、駐車場に停車されている客の所有する電気自動車などの充電対象物７に実装された蓄電池７１を、有料で充電する充電サービスを提供する充電スタンドとして機能する装置である。
【００１４】
スキャナ装置６は、購入商品に付されたバーコードなどのコード情報を読み取るコード読取装置である。
【００１５】
なお、図１の充電料金値引きシステム１では、説明を簡略化するために、ＰＯＳ端末３およびスキャナ装置６から構成される一対のチェックアウトシステムを１つのみ備える形態を示しているが、これに限定されず、複数のチェックアウトシステムを備える形態とすることも可能である。
【００１６】
図２は、ストアサーバ２のハードウェア構成を説明するためのブロック図である。
【００１７】
図２に示すように、このストアサーバ２は、パーソナルコンピュータなどの一般的なコンピュータを利用したハードウェア構成となっており、例えば、ＣＰＵ（Ｃｅｎｔｒａｌ  Ｐｒｏｃｅｓｓｉｎｇ  Ｕｎｉｔ）２０１と、このＣＰＵ２０１とバスラインＢＬ１を介して接続されるＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ハードディスク装置（ＨＤＤ）２０４、記憶媒体処理部２０５、通信インタフェース部２０６、入力部２０７、表示部２０８、スピーカ部２０９などを備えるとともに、それらに電力を供給する電力供給部２１０などを備えている。
【００１８】
ＣＰＵ２０１は、ストアサーバ２全体の制御、即ち、各種演算や各構成要素部に対する各種処理を制御する。ＲＯＭ２０２およびＨＤＤ２０４は、ストアサーバ２における各種処理を実行するための処理プログラムなどの各種ファイルを記憶する。ＲＡＭ２０３は、入力データや表示データなどの作業中のデータを一時的に記憶したり、ストアサーバ２の起動時にＲＯＭ２０２から読み出された処理プログラムや商品情報ファイルなどを一時記憶したりする。
【００１９】
ここで、商品情報ファイルとは、商品の種別毎に固有に割り振られた商品を特定するための商品コードと、商品の名称（商品名）や単価などを含む商品情報とを対応付けて記憶するファイルのことである。即ち、このストアサーバ２は、ＰＯＳ端末３から商品コードを含む商品情報の問合せ信号を受信した場合に、当該商品コードに基づいて商品情報ファイルから該当する商品情報を検索してＰＯＳ端末３に返信する。
【００２０】
記憶媒体処理部２０５は、ＣＤ−ＲＷ（Ｃｏｍｐａｃｔ  Ｄｉｓｋ  Ｒｅｗｒｉｔａｂｌｅ）などの外部記憶媒体に対するデータの読み書きを実行する。
【００２１】
通信インタフェース部２０６は、ＬＡＮなどの内部ネットワーク５を介して接続されるＰＯＳ端末３や充電装置４との間で各種データの送受信を実行したり、インターネットなどの外部ネットワークを介して接続される本部サーバ（不図示）との間で各種データの送受信を実行したりする。
【００２２】
入力部２０７は、各種機能キーを含むキーボードやマウスなどを有し、それらキーボードおよびマウスからの操作信号を入力処理する。表示部２０８は、ディスプレイなどを有し、そのディスプレイに各種情報を表示処理する。スピーカ部２０９は、スピーカなどを有し、そのスピーカから各種音声を出力処理する。
【００２３】
電力供給部２１０は、コンセントなどの商用電源にプラグなどの差込み器具が接続されることで、商用電源からの電圧を各負荷部に必要な電力に変換して供給する。
【００２４】
図３は、ＰＯＳ端末３のハードウェア構成を説明するためのブロック図である。
【００２５】
図３に示すように、このＰＯＳ端末３は、ＣＰＵ３０１と、このＣＰＵ３０１とバスラインＢＬ２を介して接続されるＲＯＭ３０２、ＲＡＭ３０３、通信インタフェース部３０４、接続インタフェース部３０５、カード処理部３０６、入力部３０７、店員用表示部３０８、客用表示部３０９、スピーカ部３１０、貨幣処理部３１１、印字部３１２などを備えるとともに、それらに電力を供給する電力供給部３１３などを備えている。
【００２６】
ここで、ＣＰＵ３０１は、ＰＯＳ端末３全体の制御、即ち、各種演算や各構成要素部に対する各種処理を制御する。ＲＯＭ３０２は、ＰＯＳ端末３における各種処理を実行するための処理プログラムなどの各種ファイルを記憶する。ＲＡＭ３０３は、入力データや表示データなどの作業中のデータを一時的に記憶したり、ＰＯＳ端末３の起動時にＲＯＭ３０２から読み出された処理プログラムや売上ファイルなどを一時記憶したりする。
【００２７】
ここで、売上ファイルＦとは、一取引毎に、スキャナ装置６で読み取られた１または複数の商品コードと、その商品コードを基にストアサーバ２から取得した商品情報とを対応付けて記憶するファイルのことである。
【００２８】
通信インタフェース部３０４は、ＬＡＮなどの内部ネットワーク５を介して接続されるストアサーバ２との間で各種データの送受信を実行する。また、接続インタフェース部３０５は、通信ケーブルなどを介して接続されるスキャナ装置６との間で各種データの送受信を実行する。
【００２９】
カード処理部３０６は、客が所持する会員カードＣに記憶されている会員番号などの情報を読み取る。
【００３０】
入力部３０７は、各種機能キーを含むキーボードや入力コントローラなどを有し、それらキーボードおよびマウスからの操作信号を入力処理する。また、店員用表示部３０８および客用表示部３０９は、それぞれディスプレイなどを有し、そのディスプレイに各種情報を表示処理する。また、スピーカ部３１０は、スピーカなどを有し、そのスピーカから各種音声を出力処理する。
【００３１】
貨幣処理部３１１は、ドロワや自動釣銭機などで構成され、客から預った貨幣の投入および客に対する釣銭の支払処理を実行する。
【００３２】
印字部３１２は、プリンタなどを有し、そのプリンタにより一取引毎の決済に係る情報を印字したレシートや、充電料金の値引きや割引（以下、単に「値引き」という。）金額を示す情報を印字した値引き券（図９参照）などを発行する。
【００３３】
電力供給部３１３は、コンセントなどの商用電源にプラグなどの差込み器具が接続されることで、商用電源からの電圧を各負荷部に必要な電力に変換して供給する。
【００３４】
図４は、充電装置４のハードウェア構成を説明するためのブロック図である。
【００３５】
図４に示すように、この充電装置４は、ＣＰＵ４００と、このＣＰＵ４００とバスラインＢＬ３を介して接続されるＲＯＭ４０１、ＲＡＭ４０２、通信インタフェース部４０３、カード処理部４０４、値引き金額処理部４０５、入力部４０６、表示部４０７、スピーカ部４０８、貨幣処理部４０９、印字部４１０などを備えているとともに、それらに電力を供給する電力供給部４１１や充電部４１２などを備えている。
【００３６】
ここで、ＣＰＵ４００は、充電装置４全体の制御、即ち、各種演算や各構成要素部に対する各種処理を制御する。ＲＯＭ４０１は、充電装置４における各種処理を実行するための処理プログラムなどの各種ファイルを記憶する。ＲＡＭ４０２は、入力データや表示データなどの作業中のデータを一時的に記憶したり、充電装置４の起動時にＲＯＭ４０２から読み出された処理プログラムなどを一時記憶したりする。
【００３７】
通信インタフェース部４０３は、ＬＡＮなどの内部ネットワーク５を介して接続されるストアサーバ２との間で各種データ（特に、充電料金や、充電実行中や、充電完了などを示す充電情報）の送受信を実行する。
【００３８】
カード処理部４０４は、客が所持する会員カードＣに記憶されている会員番号などの情報を読み取る。値引き金額処理部４０５は、ＰＯＳ端末３で発行された値引き券Ｔから値引き金額の情報を読み取る。
【００３９】
入力部４０６は、各種機能キーを含むキーボードや入力コントローラなどを有し、操作信号の入力処理を実行する。表示部４０７は、ディスプレイや表示コントローラなどを有し、各種情報の表示処理を実行する。スピーカ部４０８は、スピーカや音声出力コントローラなどを有し、各種音声の出力処理を実行する。
【００４０】
貨幣処理部４０９は、貨幣投入口から投入された貨幣を金庫へ収納するとともに、金庫に収納されている貨幣を貨幣支払口から釣銭として排出する貨幣処理を実行する。
【００４１】
印字部４１０は、一取引毎の決済に係る情報を印字したレシートＲを発行する。
【００４２】
電力供給部４１１は、コンセントなどの商用電源にプラグなどの差込み器具が接続されることで、商用電源からの電圧を各負荷部に必要な電力に変換して供給する。
【００４３】
充電部４１２は、商用電源や、店舗に設置された発電機などからの電力をもとに、客の所有する電気自動車などの充電対象物７に実装された蓄電池７１を充電する充電器４１２ａと、その充電器４１２ａを用いて充電対象物７の蓄電池７１を充電した場合の充電電力量を計測する電力計測部４１２ｂなどを有し、充電対象物７に対する充電を実行制御する。
【００４４】
図５は、ストアサーバ２における機能的構成を説明するためのブロック図である。
【００４５】
図５に示すように、ストアサーバ２は、機能的構成として、情報送受信部２１、充電情報記憶部２２、充電情報検索部２３などを有している。
【００４６】
ここで、情報送受信部２１は、充電情報、会員情報などの各種情報を送受信する。
【００４７】
充電情報記憶部２２は、充電情報記憶テーブル２２ａ（図６参照）を有し、情報送受信部２１を介して充電装置４から受信した情報に基づいて、充電情報記憶テーブル２２ａの情報を更新記憶する。
【００４８】
図６は、充電情報記憶テーブル２２ａの一構成例を説明するための図である。
【００４９】
図６に示すように、この充電情報記憶テーブル２２ａは、充電装置４から受信した会員番号などの会員情報に対応付けて、充電料金などの充電情報を記憶するテーブルである。
【００５０】
なお、図６の例では、会員番号「１２３４５」に対応付けて、充電料金「５００円」が登録されている様子を示している。即ち、図６の例では、会員番号「１２３４５」の客が、充電対象物７の充電料金として「５００円」を支払う必要があることを示している。
【００５１】
図５に戻って、充電情報検索部２３は、情報送受信部２１を介してＰＯＳ端末３から受信した充電情報の取得要求信号に含まれる会員番号などの会員情報に基づき、当該会員情報に対応付けて記憶されている充電料金などの充電情報を検索し、検索結果を情報送受信部２１を介してＰＯＳ端末３に通知する。
【００５２】
図７は、ＰＯＳ端末３における機能的構成を説明するためのブロック図である。
【００５３】
図７に示すように、ＰＯＳ端末３は、情報送受信部３１、商品登録処理部３２、決済処理部３３などを有している。
【００５４】
情報送受信部３１は、会員情報、充電情報などの各種情報を送受信する。
【００５５】
商品登録処理部３２は、一取引毎の購入商品の売上ファイルＦへの登録処理を実行する。より具体的には、この商品登録処理部３２は、例えば、店員により、商品の登録開始を宣言する機能キーが押下されてから、同じく店員により、商品の登録終了を宣言する機能キー（小計キーなど）が押下されるまでの間に、店員によるスキャナ装置６の読取操作により読み取られた購入商品の情報を、売上ファイルＦに登録する。
【００５６】
決済処理部３３は、商品合計金額算出部３３１、会員／非会員情報入力部３３２、値引き処理部３３３、締め処理部３３４、充電決済完了通知部３３５などを有しており、一取引毎の決済処理、即ち、商品登録処理部３２により一取引毎に登録された購入商品の決済処理を実行する。
【００５７】
ここで、商品合計金額算出部３３１は、一取引毎の購入商品の合計金額（以下、単に「商品合計金額」という。）を算出する。
【００５８】
会員／非会員情報入力部３３２は、店員により、会員／非会員などの客の種別を宣言する機能キーが押下されることにより、一取引毎に客の種別（会員／非会員）を示す情報を一時記憶する。
【００５９】
値引き処理部３３３は、値引き金額テーブル３３３ａ（図８参照）、値引き金額算出部３３３ｂ、充電料金入力部３３３ｃ、合算合計金額算出部３３３ｄ、値引き券発行部３３３ｅなどを有し、客が、充電料金の決済が必要な客である場合に、充電料金に対する値引き処理を実行する。
【００６０】
図８は、値引き金額テーブル３３３ａの一構成例を説明するための図である。
【００６１】
図８に示すように、この値引き金額テーブル３３３ａは、商品合計金額の範囲情報別に充電料金の値引き金額の情報（割引率）を対応付けして記憶するテーブルである。
【００６２】
なお、図８の例では、商品合計金額の範囲情報「２０００円以下」に対応付けして、充電料金の値引き金額の情報（割引率）「１０％」が記憶され、また、商品合計金額の範囲情報「２００１円〜８０００円」に対応付けして、充電料金の値引き金額の情報（割引率）「５０％」が記憶され、更に、商品合計金額の範囲情報「８００１円以上」に対応付けして、充電料金の値引き金額の情報（割引率）「１００％」が記憶されている様子を示している。
【００６３】
図７に戻って、値引き金額算出部３３３ｂは、商品合計金額算出部３３１で算出された商品合計金額が、値引き金額テーブル３３３ａにおけるどの商品合計金額の範囲内に属するかに応じて、値引き金額を算出する。例えば、商品合計金額算出部３３１で算出された商品合計金額が「３５０円」であった場合には、値引き金額算出部３３３ｂは、商品合計金額の範囲情報「２０００円以下」に対応付けられた充電料金の値引き金額の情報（割引率）「１０％」を、値引き金額を示す情報として算出する。
【００６４】
充電料金入力部３３３ｃは、情報送受信部３１を介してストアサーバ２から充電料金の情報を入力する。
【００６５】
合算合計金額算出部３３３ｄは、商品合計金額算出部３３１で算出された商品合計金額に、充電料金入力部３３３ｃで入力した充電料金の金額を加算し、更に、値引き金額算出部３３３ｂで算出した値引き金額を減算して合算合計金額を算出する。
【００６６】
値引き券発行部３３３ｅは、客が、充電料金の決済が必要な非会員の客、または、会員カードＣを持参し忘れた会員の客である場合に、印字部３１２のプリンタを用いて、充電料金の値引きを行うための値引き券Ｔ（図９の（ａ）参照）を発行する。
【００６７】
締め処理部３３４は、客からの預り金額の入力処理、客に対する釣銭の支払い処理、レシート（Ｒ１、Ｒ２）（図９の（ｂ）、（ｃ）参照）の発行処理などの締め処理を実行する。
【００６８】
図９は、ＰＯＳ端末３で発行される値引き券およびレシートの一構成例を説明するための図であり、図９（ａ）が、充電料金の値引きを行うための値引き券Ｔを示し、図９（ｂ）が、購入商品の決済と合わせて充電料金の決済を行った場合のレシートＲ１を示し、図９（ｃ）が、充電料金の決済は行わずに購入商品の決済のみを行った場合のレシートＲ２を示している。
【００６９】
図９（ａ）に示す値引き券Ｔでは、「充電料金  ￥５００」などの充電料金を示す文字情報や、「値引き金額  ￥３５」などの値引き金額を示す文字情報や、「３５円」などの値引き金額を表現するバーコードなどの情報が印字されている。
【００７０】
図９（ｂ）に示すレシートＲ１では、「きゅうり  ￥１５０」や「ポテト  ￥２００」などの一取引における客の購入商品を示す文字情報や、「充電料金  ￥５００」などの充電料金を示す文字情報や、「値引き金額  ￥３５」などの充電料金の値引き金額を示す文字情報などの情報が印字されている。
【００７１】
図９（ｃ）に示すレシートＲ２では、図９（ｂ）のレシートＲ１における充電料金および値引き金額を示す文字情報が省略された態様となっている。
【００７２】
図７に戻って、充電決済完了通知部３３５は、一取引の購入商品の決済と充電料金の決済とを合わせて行った場合に、充電料金の決済がＰＯＳ端末３側で既に済んでいる旨を通知する完了通知信号を、情報送受信部３１０を介してストアサーバ２に送信する。
【００７３】
即ち、決済処理部３３は、客が、会員カードＣを持参しており、充電料金の決済が必要な会員の客であると判定した場合（第１の条件が成立した場合）に、一取引の商品合計金額に対して、充電料金を加算し、値引き金額を減算して得られた合算合計金額を用いて、一取引の商品合計金額および充電料金の決済を行う値引き処理を実行する。また、決済処理部３３は、客が、会員カードＣを持参しておらず、充電料金の決済が必要な会員の客または非会員の客であると判定した場合（第２の条件が成立した場合）に、印字部４１０のプリンタを用いて値引き金額を示す情報を印字した値引き券（印字媒体）Ｔを発行する値引き処理を実行する。
【００７４】
図１０は、充電装置４における機能的構成を説明するためのブロック図である。
【００７５】
図１０に示すように、充電装置４は、情報送受信部４１、会員／非会員情報入力部４２、充電制御部４３、決済処理部４４などを有している。
【００７６】
情報送受信部４１は、ストアサーバ２との間で、充電情報、会員情報などの各種情報を送受信する。
【００７７】
会員／非会員情報入力部４２は、送信要否判定部４２１を有し、客により、入力部４０６の所定の機能キーなどが押下されることにより、客の種別（会員／非会員）を示す情報を一時記憶するとともに、カード処理部４０４で会員カードＣから読み取られた会員番号などの会員情報を一時記憶する。
【００７８】
送信要否判定部４２１は、充電サービスが終了した場合に、充電料金などの充電情報および会員番号などの会員情報を、ストアサーバ２に送信する必要があるか否かを判定する。
【００７９】
充電制御部４３は、電力計測部４３１を有し、客の所有する電気自動車などの充電対象物７に実装されている蓄電池７１に対する充電を実行制御する。
【００８０】
電力計測部４３１は、充電電力量を計測する。
【００８１】
決済処理部４４は、充電料金算出部４４１、値引き金額入力部４４２、決済完了通知入力部４４３、締め処理部４４４、決済完了処理部４４５などを有し、充電料金の決済処理を実行する。
【００８２】
充電料金算出部４４１は、電力計測部４３１で計測された電力量に応じて充電料金を算出する。
【００８３】
値引き金額入力部４４２は、ＰＯＳ端末３で発行された値引き券Ｔから読み取った値引き金額の情報を入力する。
【００８４】
決済完了通知入力部４４３は、ストアサーバ２経由で、ＰＯＳ端末３の充電決済完了通知部３３５から通知される完了通知信号を入力する。
【００８５】
締め処理部４４４は、充電料金算出部４４１、値引き金額入力部４４２および決済完了通知入力部４４３の情報に基づいて、客からの預り金額の入力処理、客に対する釣銭の支払い処理、レシート（Ｒ３、Ｒ４）（図１１の（ａ）、（ｂ）参照）の発行処理などの締め処理を実行する。
【００８６】
なお、締め処理部４４４は、決済完了通知入力部４４３が完了通知信号を入力している場合には、レシートＲ３を発行しない締め処理を実行し、値引き金額入力部４４２が値引き金額の情報を入力している場合には、充電料金算出部４４１で算出された充電料金の金額から値引き金額を減算した充電料金の金額を用いて締め処理を実行する。
【００８７】
図１１は、充電装置４で発行されるレシートの一構成例を説明するための図であり、図１１（ａ）が、値引き券Ｔの情報に基づいて充電料金の値引きを行った場合のレシートＲ３を示し、図１１（ｂ）が、値引きを行わずに通常の決済を行った場合のレシートＲ４を示している。
【００８８】
図１１（ａ）に示すレシートＲ３では、「充電料金  ￥５００」などの充電料金を示す文字情報や、「値引き金額  ￥３５」などの値引き金額を示す文字情報などの情報が印字されている。
【００８９】
図１１（ｂ）に示すレシートＲ４では、「充電料金  ￥５００」などの充電料金を示す文字情報などの情報が印字されている。
【００９０】
図１０に戻って、決済完了処理部４４５は、締め処理部４４４などにより充電料金の決済が済んだ場合に、客の充電対象物７を解放する所定の解放処理を実行する。例えば、所定の解放処理としては、客の充電対象物７と充電装置４のコネクタ４１２ｃとの接続のロックを解除する処理や、充電用の停車スペースから客の充電対象物７の移動を許可する処理などが挙げられる。
【００９１】
なお、前記した図５、図７および図１０における各機能構成部は、各ＣＰＵ（２０１、３０１及び４００）が各ＲＯＭ（２０２、３０２及び４０１）などの記憶手段に記憶されている処理プログラムを、各ＲＡＭ（２０３、３０３及び４０２）上に展開して実行することにより実現されるものである。
【００９２】
次に、充電料金値引きシステム１の各装置における処理動作について図１２〜図１６を用いて説明する。
【００９３】
図１２は、充電装置４における充電時の処理の流れを説明するためのフローチャートである。
【００９４】
図１２に示すように、充電装置４では、例えば、不図示のセンサーなどにより、充電サービスを受ける客を検知した場合、表示部４０７やスピーカ部４０８を用いて、客に対して会員／非会員（会員カードＣを持参し忘れた会員も含む）の種別を指定するように報知することにより、まず、ステップＳ１０１において、客により、入力部４０６のキーボードに含まれる会員／非会員の種別を宣言する機能キーの押下操作に応じて、会員／非会員情報入力部４２が、当該充電装置４の充電サービスを受ける客の種別を判定する。
【００９５】
この判定の結果、会員であると判定された場合には（ステップＳ１０１：Ｙｅｓ）、会員／非会員情報入力部４２が、表示部４０７やスピーカ部４０８を用いて、客に対して会員カードＣをカード処理部４０４のカード挿入口（不図示）に挿入するように促すことにより、会員番号などの会員情報の読取／記憶処理を実行する（ステップＳ１０２）。
【００９６】
続いて、ステップＳ１０３において、充電制御部４３が、客によりコネクタ４１２ｃが電気自動車などの充電対象物７の所定接続箇所に接続されるなどして、当該充電対象物７の充電が可能な状態になったか否かを判定する。
【００９７】
なお、ステップＳ１０１の判定の結果、会員でないと判定された場合には（ステップＳ１０１：Ｎｏ）、ステップＳ１０２の処理を行うことなく、ステップＳ１０３の処理に移行する。
【００９８】
ステップＳ１０３の判定の結果、充電可能状態であると判定された場合（ステップＳ１０３：Ｙｅｓ）、続いて、ステップＳ１０４およびステップＳ１０５において、充電制御部４３が、充電容量が満充電または客により指定された所定の充電容量に達するまで充電対象物７に実装された蓄電池７１を充電する。
【００９９】
ステップＳ１０４およびステップＳ１０５の処理により、満充電または客により指定された充電容量に達するなどして充電が終了すると（ステップＳ１０５：Ｙｅｓ）、続いて、ステップＳ１０６において、送信要否判定部４２１が、会員／非会員情報入力部４２に会員番号などの会員情報が記憶されているか否かを判定する。
【０１００】
この判定の結果、会員情報が記憶されていると判定された場合（ステップＳ１０６：Ｙｅｓ）、続いて、ステップＳ１０７において、充電料金算出部４４１が、電力計測部４３１の計測値に基づき充電料金を算出し、情報送受信部４１が、前記算出された充電料金などの充電情報および会員／非会員番号情報入力部４２が記憶している会員番号などの会員情報を、ストアサーバ２に送信し、その後、充電装置４は、ここでの処理を終了する。
【０１０１】
なお、ステップＳ１０６の判定の結果、会員情報が記憶されていないと判定された場合には（ステップＳ１０６：Ｎｏ）、ステップＳ１０７の処理を行うことなく、ここでの処理を終了する。
【０１０２】
図１３は、充電装置４から情報を受信した場合のストアサーバ２の処理の流れを説明するためのフローチャートである。
【０１０３】
図１３において、ストアサーバ２では、情報送受信部２１が、充電装置４から、充電料金などの充電情報および会員番号などの会員情報を受信すると（ステップＳ２０１：Ｙｅｓ）、充電情報記憶部２２が、情報送受信部２１で受信した充電情報および会員情報をＲＡＭ２０３上の充電情報記憶エリアに一時記憶し、該記憶した情報に基いて、同じくＲＡＭ２０３上に展開されている充電情報記憶テーブル２２ａの内容を更新する（ステップＳ２０２）。
【０１０４】
図１４は、ＰＯＳ端末３における決済時の処理の流れを説明するためのフローチャートである。
【０１０５】
図１４に示すように、ＰＯＳ端末３では、まず、ステップＳ３０１およびステップＳ３０２において、店員によるスキャナ装置６の読取操作により、客が決済場所に持ち込んだ購入商品のバーコードが読み取られることにより、商品登録処理部３２が、一取引毎の商品登録処理、即ち、売上ファイルＦへの登録処理を実行する。
【０１０６】
そして、店員により、例えば、入力部３０７のキーボードに含まれる商品登録の終了を宣言するための機能キーが押下操作されると（ステップＳ３０２：Ｙｅｓ）、続いて、店員により、同じくキーボードに含まれる会員／非会員の種別を宣言するための機能キーが押下操作されることにより、ステップＳ３０３において、会員／非会員情報入力部３３２が、当該一取引の決済を行う客の種別を判定する。
【０１０７】
この判定の結果、会員であると判定された場合には（ステップＳ３０３：Ｙｅｓ）、店員の促しにより、客により会員カードＣがカード処理部３０６のカード挿入口（不図示）に挿入されることで、続いて、ステップＳ３０４において、会員／非会員情報入力部３３２が、会員カードＣから会員番号などの会員情報の読取および記憶処理を実行する。
【０１０８】
続いて、ステップＳ３０５において、情報送受信部３１が、ステップＳ３０４で記憶した会員情報に対応付けられた充電料金の情報がストアサーバ２に記憶されているか否かを問合せるための問合せ信号を、ストアサーバ２に送信する。
【０１０９】
ステップＳ３０５の問合せ処理の結果、情報送受信部３１が、ストアサーバ２から検索結果としての充電情報を受信すると（ステップＳ３０６：Ｙｅｓ）、続いて、ステップＳ３０７において、商品合計金額算出部３３１が、一取引における購入商品の商品合計金額を算出し、続いて、ステップＳ３０８において、値引き金額算出部３３３ｂが、充電料金の値引き金額を算出する。
【０１１０】
続いて、ステップＳ３０９において、合算合計金額算出部３３３ｄが、ステップＳ３０７およびステップＳ３０８で算出した金額情報を用いて、当該客に対して請求する合算合計金額を算出する。
【０１１１】
続いて、ステップＳ３１０において、締め処理部３３４が、決済処理を実行する、即ち、このステップＳ３１０の決済処理では、一取引に係る購入商品の決済と充電料金の決済とを合わせた合算決済を実行し、該合算決済に係る情報を印字したレシートＲ１（図９の（ｂ）参照）を発行する締め処理を実行する。
【０１１２】
一方、ステップＳ３０３の判定の結果、会員でないと判定された場合（ステップＳ３０３：Ｎｏ）、続いて、ステップＳ３１１において、店員により、キーボードに含まれる充電料金の支払いの必要有り／必要無しを宣言するための機能キーが押下操作されることにより、決済処理部３３が、充電料金の支払いが必要であるか否かを判定する。
【０１１３】
この判定の結果、充電料金の支払いが必要であると判定された場合には（ステップＳ３１１：Ｙｅｓ）、続いて、ステップＳ３１２において、ステップＳ３０７の処理と同様の処理により、商品合計金額算出部３３１が、一取引の商品合計金額を算出し、続いて、ステップＳ３１３において、ステップＳ３０８の処理と同様の処理により、値引き金額算出部３３３ｂが、充電料金の値引き金額を算出する。
【０１１４】
続いて、ステップＳ３１４において、値引き券発行部３３３ｅが、ステップＳ３１２で算出した値引き金額の情報を印字した充電料金の割引き券Ｔ（図９の（ａ）参照）を発行する。
【０１１５】
続いて、ステップＳ３１５において、締め処理部３３４が、決済処理を実行する、すなわち、このステップＳ３１５の決済処理では、一取引に係る購入商品の決済を行うとともに、その決済に係る情報を印字したレシートＲ２（図９の（ｃ）参照）を発行する締め処理を実行する。
【０１１６】
一方、ステップＳ３１１の判定の結果、充電料金の支払いが必要でないと判定した場合には（ステップＳ３１１：Ｎｏ）、および、ステップＳ３０６の処理で、ストアサーバ２から充電情報を受信せず、充電情報の登録無しを通知する通知信号を受信した場合（ステップＳ３０６：Ｎｏ）、続いて、ステップＳ３１６において、通常の締め処理を実行する。即ち、このステップＳ３１６の処理では、ステップＳ３１２およびステップＳ３１５の処理と同様の処理を行う。
【０１１７】
なお、ステップＳ３１０、ステップＳ３１５およびステップＳ３１６の締め処理後、ＰＯＳ端末３は、ここでの処理を終了する。
【０１１８】
図１５は、ＰＯＳ端末３から情報を受信した場合のストアサーバ２の処理手順を示している。
【０１１９】
図１５において、ストアサーバ２では、情報送受信部２１が、ＰＯＳ端末３から、充電情報の取得要求信号を受信すると（ステップＳ４０１：Ｙｅｓ）、充電情報検索部２３が、充電情報の検索処理を実行する（ステップＳ４０２およびステップＳ４０３）。
【０１２０】
即ち、ステップＳ４０２およびステップＳ４０３の処理では、充電情報検索部２３が、情報送受信部２１で受信した取得要求信号に含まれる会員番号などの会員情報を用いて、充電情報記憶テーブル２２ａを検索し、当該会員情報に対応付けられた充電情報が記憶されているか否かを判定する。
【０１２１】
この処理により、当該会員情報に対応付けられた充電情報が記憶されていると判定した場合には（ステップＳ４０３：Ｙｅｓ）、続いて、ステップＳ４０４において、充電情報検索部２３が、情報送受信部２１を介して、検索結果として、検索された充電情報をＰＯＳ端末３に送信し、ここでの処理を終了する。
【０１２２】
一方、ステップＳ４０２およびステップＳ４０３の処理により、当該会員情報に対応付けられた充電情報が記憶されていないと判定した場合には（ステップＳ４０３：Ｎｏ）、続いて、ステップＳ４０５において、充電情報検索部２３が、検索結果として、充電情報の登録無しを通知する通知信号を、情報送受信部２１を介してＰＯＳ端末３に送信し、その後、ストアサーバ２は、ここでの処理を終了する。
【０１２３】
図１６は、充電装置４における充電料金の決済時の処理の流れを説明するためのフローチャートである。
【０１２４】
図１６に示すように、充電装置４では、例えば、充電が終了した後、表示部４０７やスピーカ部４０８を用いて、客に対して充電料金の決済を指定するように報知することにより、ステップＳ５０１において、客により、入力部４０６のキーボードに含まれる決済を宣言するための機能キーが押下操作されたか否かに応じて、決済処理部４４が、充電料金の決済を行うか否かを判定する。
【０１２５】
続いて、ステップＳ５０２において、決済処理部４４が、決済完了通知入力部４４３の入力情報に基づいて、充電料金の決済が、ＰＯＳ端末３で既に済んでいるか否かを判定する。
【０１２６】
この判定の結果、充電料金の決済が済んでいると判定した場合（ステップＳ５０２：Ｙｅｓ）、続いて、ステップＳ５０３において、決済完了処理部４４５が、決済完了処理として、客の充電対象物７を解放するための所定の解放処理を実行し、その後、充電装置４は、ここでの処理を終了する。
【０１２７】
一方、ステップＳ５０２の判定の結果、充電料金の決済が済んでいないと判定した場合（ステップＳ５０２：Ｎｏ）、続いて、ステップＳ５０４において、決済処理部４４が、
表示部４０７やスピーカ部４０８を用いて、客に対して値引き券Ｔの読み込みを促す報知を行い、値引き金額入力部４４２の入力情報またはキーボードに含まれる値引き券Ｔの無い旨を宣言するための機能キーの押下操作に基づいて、値引き金額情報があるか否かを判定する。
【０１２８】
この判定の結果、値引き金額情報があると判定した場合（ステップＳ５０４：Ｙｅｓ）、続いて、ステップＳ５０５において、締め処理部４４４が、充電料金の値引きを行って、充電料金の決済処理を実行する。なお、このステップＳ５０５の処理では、図１１（ａ）に示すようなレシートＲ３を発行する。
【０１２９】
また、一方、ステップＳ５０４の判定の結果、値引き金額情報がないと判定した場合（ステップＳ５０４：Ｎｏ）、続いて、ステップＳ５０６において、締め処理部４４４が、通常の締め処理、即ち、充電料金の値引きを行わない決済処理を実行する。なお、このステップＳ５０６の処理では、図１１（ｂ）に示すようなレシートＲ４を発行する。
【０１３０】
なお、ステップＳ５０５およびステップＳ５０６の処理後、充電装置４は、処理をステップＳ５０３に移行して以下同様の処理を行う。
【０１３１】
以上説明した第１の実施形態によれば、ＰＯＳ端末３を用いて、充電料金の値引きサービスを提供することができる。これにより、充電装置４による充電サービスの提供を受ける客の囲い込みが可能となり、店舗側の集客率を上げて店舗の売上を向上させることが可能となる。
【０１３２】
また、第１の実施形態によれば、会員カードＣを所有している会員の客に対しては、ＰＯＳ端末３で充電料金の決済を行うことができ、他方、会員カードＣを持参し忘れた会員の客や会員でない非会員の客に対しては、ＰＯＳ端末３で充電料金の値引き券を発行することができる。
【０１３３】
（第２の実施形態）
前記した第１の実施形態では、ＰＯＳ端末３での一取引における購入商品の決済時に、充電装置４による充電対象物７の充電が終了している場合を想定しているが、これとは別に、ＰＯＳ端末３での購入商品の決済時に、充電対象物７に対する充電が終了していない場合においてもＰＯＳ端末３で値引き処理を実行することができる第２の実施形態について、図１７および図１８を用いて説明する。
【０１３４】
図１７は、図１２の充電装置４の処理手順の変形例を示すフローチャートであり、図１８は、図１４のＰＯＳ端末３の処理手順の変形例を示すフローチャートである。
【０１３５】
図１７の処理において、図１２と相違する点は、図１２のステップＳ１０２およびステップＳ１０３の間に、新たな処理ステップとしてのステップＳ６０１を挿入し、且つ、図１２のステップＳ１０７の処理手順に替えて、新たな処理ステップとしてのステップＳ６０２を挿入した点である。なお、ここでは、説明の簡略化のため、同一の処理については説明を省略する。
【０１３６】
即ち、図１７の処理では、充電装置４は、図１２で説明したステップＳ１０２の処理を実行した後、ステップＳ６０１において、情報送受信部４１が、会員番号などの会員情報と充電中を示す充電情報をストアサーバ２に送信する。また、図１２で説明したステップＳ１０６の処理を実行した後、ステップＳ６０２において、情報送受信部４１が、充電料金などの充電情報および会員番号などの会員情報をストアサーバ２に送信する。
【０１３７】
また、図１８の処理において、図１４と相違する点は、ステップＳ３０６の処理で、Ｎｏ判定になった後の処理として、新たな処理ステップとしてのステップＳ７０１を挿入した点である。なお、ここでも、同一の処理については説明を省略する。
【０１３８】
即ち、図１８の処理では、ＰＯＳ端末３は、図１４で説明したステップＳ３０６の処理で、Ｎｏ判定となった場合に、ステップＳ７０１において、決済処理部３３が、ストアサーバ２から充電未完了通知を受信したか否かを判定する。この判定の結果、充電未完了通知を受信したと判定した場合には（ステップＳ７０１：Ｙｅｓ）、ＰＯＳ端末３は、続いて、図１４で説明したステップＳ３１２の処理に移行して以下同様の処理を行い、他方、前記判定の結果、充電未完了通知を受信しない、即ち、充電情報の無し通知を受信した場合には（ステップＳ７０１：Ｎｏ）、ＰＯＳ端末３は、続いて、図１４で説明したステップＳ３１６の処理に移行して以下同様の処理を行う。
【０１３９】
以上説明した第２の実施形態によれば、ＰＯＳ端末３での購入商品の決済時に、充電対象物７に対する充電が終了していない場合でも、客に対して充電料金の値引きサービスを提供することができる。
【０１４０】
以上、例示的な実施形態に基づいて説明したが、本実施形態は、前記した第１および第２の実施形態により限定されるものではない。
【０１４１】
例えば、前記した実施形態では、非会員の客に対しても、充電料金の値引き券Ｔを発行するという充電料金の値引きサービスを提供する形態について説明したが、これ以外にも、非会員の客には、充電料金の値引きサービスを提供しないような形態とすることも可能である。このような構成によれば、店舗側で会員の客を増加させることができ、これにより、店舗の売上を向上させることが可能となる。
【０１４２】
また、前記した実施形態では、一取引の商品合計金額を基に、値引き金額テーブル３３３ａに予め設定されている値引き金額情報を用いて、充電料金の値引き金額を決定する形態について説明したが、これ以外にも、例えば、充電装置４の利用回数や利用金額などの利用状況に応じて、値引き金額を変更するような形態とすることも可能であり、具体的には、充電装置４の利用回数や利用金額が多いほど、充電料金の値引き金額が高くなるような形態とすることも可能である。
【０１４３】
また、前記した実施形態では、一取引の商品合計金額に応じて、充電料金の値引き金額を決定する形態について説明したが、これ以外にも、例えば、一取引の商品合計金額に応じて、充電料金の決済用のポイント値を算出し、該算出した決済用のポイント値を、会員カードやレシートを用いて出力するような形態とすることも可能である。なお、この場合には、客が、充電装置４において会員カードやレシートに記憶された決済用のポイント値を読み取らせることにより、充電料金の値引きサービスを受けることができるように構成する。このような構成によれば、客は貯まった決済用のポイント値を用いて充電料金の決済を行うことができる。
【０１４４】
また、前記した実施形態では、ＰＯＳ端末３において、一取引の商品合計金額に応じて充電料金の値引き金額を決定し、一取引の商品合計金額および充電料金の決済や、値引き券を発行する形態について説明したが、これ以外にも、そのような形態に、充電料金に応じて、充電料金の決済用のポイント値を算出し、該算出したポイント値を会員カードやレシートを用いて出力するという構成を更に追加することも可能である。
【０１４５】
また、前記した実施形態では、ＰＯＳ端末３で充電料金の値引きを行うための値引き券Ｔを発行する形態について説明したが、これ以外にも、例えば、図１９に示すように、ＰＯＳ端末３とは別に、店舗内に設置されて各種情報サービスを提供することが可能な情報発信端末８で値引き券Ｔを発行するように構成することも可能である。
【０１４６】
なお、その形態においては、情報発信端末８に、会員カードＣの会員情報を読み取らせ、ＰＯＳ端末３で発行されたレシートの商品合計金額の情報を読み取らせることにより、ＰＯＳ端末３と同様の値引き券Ｔを発行させることが可能である。
【０１４７】
また、前記した実施形態では、ＰＯＳ端末３において、会員カードＣを持参した会員の客に対して、一取引の購入商品の決済と値引きした充電料金の合算合計金額の決済処理を行う第１の決済処理と、会員カードを持参し忘れた会員の客または非会員の客に対して、値引き券Ｔを発行する第２の決済処理とを実行する場合について説明したが、これ以外にも、例えば、前記第１の決済処理および前記第２の決済処理のいずれか一方のみを実行するような形態とすることも可能である。
【０１４８】
また、前記した実施形態では、ＰＯＳ端末３が、ストアサーバ２を経由して、充電装置４から充電料金などの充電情報を受信する形態について説明したが、これ以外にも、例えば、ＰＯＳ端末３が、ストアサーバ２を介さず充電装置４から直接的に充電情報を受信するような形態とすることも可能である。
【０１４９】
また、前記した実施形態では、ＰＯＳ端末３として、現金による決済のみを行うことが可能な形態について説明したが、これ以外にも、例えば、現金決済以外にも、クレジットカードやデビットカードなどのカード決済や、携帯電話機を用いた電子決済などが可能な形態とすることも可能である。
【０１５０】
また、前記した実施形態では、充電対象物７として電気自動車である場合について説明したが、これ以外にも、例えば、充電対象物７としては、電気自転車や、電気自動二輪者や、携帯電話機や携帯型パーソナルコンピュータなどの携帯端末であっても良いものとする。
【０１５１】
また、前記した実施形態では、商品合計金額に応じて、充電料金の値引き金額値を決定する形態について説明したが、これ以外にも、例えば、商品合計金額および充電料金の合計金額に応じて、充電料金の値引き金額を決定するような形態とすることも可能である。
【０１５２】
また、前記した実施形態では、値引き金額テーブル３３３ａの値引き金額値の情報として、商品合計金額の割引率の情報である場合について説明したが、これ以外にも、例えば、前記値引き金額値の情報としては、充電料金の割引率の情報や、「５０円」、「１００円」などの予め定められた値引き金額値の情報とすることも可能である。
【０１５３】
また、前記した実施形態では言及していないが、充電装置４による充電対象物７の充電が終了した場合に、ストアサーバ２が、予め指定されているメールアドレス宛に充電終了を通知するメッセージを送信するように構成しても良い。
【０１５４】
また、前記した実施形態のストアサーバ２、ＰＯＳ端末３および充電装置４で実行される各種プログラムは、ＲＯＭなどの記憶手段に予め組み込むように提供しても良いし、インストール可能な形式又は実行可能な形式のファイルでコンピュータで読み取り可能な記録媒体に記録して提供するように構成しても良いし、インターネットなどのネットワーク経由で提供又は配布するように構成しても良い。
【０１５５】
その他、前記した実施形態におけるストアサーバ２、ＰＯＳ端末３および充電装置４のハードウェア構成およびソフトウェア構成や、各種テーブルの構成や、各種処理手順や、レシートの構成などは、単なる例として記載したものであり、本実施形態は、これらにより限定されない。
【符号の説明】
【０１５６】
１、１Ａ  充電料金値引きシステム
２  ストアサーバ
３  ＰＯＳ端末（情報処理装置）
３１２  印字部（印字装置）
４  充電装置
４１２  充電部
４１２ａ  充電器
４１２ｂ  電力計測部
７  充電対象物（電気自動車）
２１  情報送受信部
２２  充電情報記憶部
２２ａ  充電情報記憶テーブル
２３  充電情報検索部
３１  情報送受信部（入力手段）
３２  商品登録処理部
３３  決済処理部（値引き処理手段）
３３１  商品合計金額算出部（算出手段）
３３２  会員／非会員情報入力部
３３３  値引き処理部（値引き処理手段）
３３３ａ  値引き金額テーブル
３３３ｂ  値引き金額算出部
３３３ｃ  充電料金入力部（入力手段）
３３３ｄ  合算合計金額算出部
３３４  締め処理部
３３５  充電決済完了通知部
【先行技術文献】
【特許文献】
【０１５７】
【特許文献１】特開平１１−８６０５８号公報
【図１】
0005286334.tif 000002
【図２】
0005286334.tif 000003
【図３】
0005286334.tif 000004
【図４】
0005286334.tif 000005
【図５】
0005286334.tif 000006
【図６】
0005286334.tif 000007
【図７】
0005286334.tif 000008
【図８】
0005286334.tif 000009
【図９】
0005286334.tif 000010
【図１０】
0005286334.tif 000011
【図１１】
0005286334.tif 000012
【図１２】
0005286334.tif 000013
【図１３】
0005286334.tif 000014
【図１４】
0005286334.tif 000015
【図１５】
0005286334.tif 000016
【図１６】
0005286334.tif 000017
【図１７】
0005286334.tif 000018
【図１８】
0005286334.tif 000019
【図１９】
0005286334.tif 000020